(57)【要約】  椅子Ｃなどの什器を適正かつ容易に配置することを可能にする。  画像を投影するプロジェクタ２と、椅子Ｃを含む什器をオープンスペースに配置する際のレイアウトを記憶するレイアウトデータベースと、レイアウトデータベースに記憶されたレイアウトをプロジェクタ２に送信するマッピング出力部と、を備え、プロジェクタ２は、マッピング出力部から受信したレイアウトを画像としてオープンスペースの床面に投影するように配設されている。
2019163015.tif 000002
【特許請求の範囲】
【請求項１】
画像を投影するプロジェクタと、
椅子を含む什器をオープンスペースに配置する際のレイアウトを記憶するレイアウト記憶手段と、
前記レイアウト記憶手段に記憶されたレイアウトを前記プロジェクタに送信するマッピング出力手段と、
を備え、前記プロジェクタは、前記マッピング出力手段から受信したレイアウトを前記画像として前記オープンスペースの床面に投影するように配設されている、
ことを特徴とする什器配置支援システム。
【請求項２】
前記什器の寸法を含む什器情報と前記オープンスペースの寸法を含むオープンスペース情報とに基づいて、前記レイアウトを作成するレイアウト作成手段を備える、
ことを特徴とする請求項１に記載の什器配置支援システム。
【請求項３】
前記レイアウト作成手段は、前記オープンスペースの使用目的に基づいて前記レイアウトを作成する、
ことを特徴とする請求項２に記載の什器配置支援システム。
【請求項４】
前記レイアウト記憶手段に記憶されたレイアウトを修正するレイアウト修正手段を備える、
ことを特徴とする請求項１から３のいずれか１項に記載の什器配置支援システム。
【請求項５】
前記オープンスペースが会議室である場合に、前記会議室の使用日時を予約する会議室予約手段を備える、
ことを特徴とする請求項１から４のいずれか１項に記載の什器配置支援システム。
【請求項６】
コンピュータを、
椅子を含む什器をオープンスペースに配置する際のレイアウトを記憶するレイアウト記憶手段と、
前記レイアウト記憶手段に記憶されたレイアウトを、該レイアウトを前記オープンスペースの床面に投影するプロジェクタに送信するマッピング出力手段、
として機能させるための什器配置支援プログラム。
【請求項７】
コンピュータを、
前記什器の寸法を含む什器情報と前記オープンスペースの寸法を含むオープンスペース情報とに基づいて、前記レイアウトを作成するレイアウト作成手段、
として機能させるための請求項６に記載の什器配置支援プログラム。
【請求項８】
前記レイアウト作成手段は、前記オープンスペースの使用目的に基づいて前記レイアウトを作成する、
ことを特徴とする請求項７に記載の什器配置支援プログラム。
【請求項９】
コンピュータを、
前記レイアウト記憶手段に記憶されたレイアウトを修正するレイアウト修正手段、
として機能させるための請求項６から８のいずれか１項に記載の什器配置支援プログラム。
【請求項１０】
前記オープンスペースが会議室である場合に、コンピュータを、
前記会議室の使用日時を予約する会議室予約手段、
として機能させるための請求項６から９のいずれか１項に記載の什器配置支援プログラム。
【発明の詳細な説明】
【技術分野】
【０００１】
この発明は、椅子などの什器を会議室などに配置するのを支援するための什器配置支援システムおよび什器配置支援プログラムに関する。
【背景技術】
【０００２】
例えば、会議室・集会場に複数の椅子を並べる場合、従来、会議室の大きさや参加人数、会議室の使用目的（会議かセミナーか、あるいはグループ討論か等）などに基づいて、担当者が勘と経験に従って椅子のレイアウト・配置を決定していた。この際、どのようなレイアウトが適切かわかりにくいため、とりあえず必要数の椅子を並べた後に並べ替える、などということを行っており、多大な時間と労力を要していた。また、過去に同じ会議室で同じ参加人数の会議などがあった場合には、過去に担当した担当者の経験と知識に従ってレイアウトを決定できるが、その担当者が変わったり不在であったりした場合には、同様に多大な時間と労力を要していた。【０００３】
さらに、会議の終了後には、椅子の配置目印を撤去してしまうため、次回の会議の際に配置目印を使用することができない。また、会議室を予約する際には、各会議室の収容人数と会議への参加人数などに基づいて会議室を選定、予約するが、会議の形式・目的などに応じてレイアウトが変わるため、結果的に不要なスペースができたり会議室が狭かったりする場合があった。【０００４】
一方、人手を借りることなく、机や椅子を所定の位置に配置することができる、という自動レイアウトシステムが知られている（例えば、特許文献１参照。）。このシステムは、複数の机や椅子の脚部にそれぞれ設けられた磁性体と、室内の床板下に設けられ、その床板を介して磁性体を吸引しながら移動する配置手段と、レイアウト情報に基づいて机や椅子を所定の位置に配置するように配置手段を制御する制御手段と、を有するものである。
【先行技術文献】
【特許文献】
【０００５】
【特許文献１】特開２００７−３１６９１７号公報
【発明の概要】
【発明が解決しようとする課題】
【０００６】
しかしながら、特許文献１のシステムでは、すべての机や椅子の脚部に磁性体を設け、室内の床板下に配置手段を設けなければならない。すなわち、既存・既製の椅子や会議室などをそのまま使用することができず、このシステムを適用するには多大な費用を要する。【０００７】
そこでこの発明は、椅子などの什器を適正かつ容易に配置することを可能にし、しかも、適用が容易な什器配置支援システムおよび什器配置支援プログラムを提供することを目的とする。
【課題を解決するための手段】
【０００８】
上記課題を解決するために、請求項１に記載の発明は、画像を投影するプロジェクタと、椅子を含む什器をオープンスペースに配置する際のレイアウトを記憶するレイアウト記憶手段と、前記レイアウト記憶手段に記憶されたレイアウトを前記プロジェクタに送信するマッピング出力手段と、を備え、前記プロジェクタは、前記マッピング出力手段から受信したレイアウトを前記画像として前記オープンスペースの床面に投影するように配設されている、ことを特徴とする什器配置支援システムである。ここで、オープンスペースには、会議室や会場、オフィスフロア、野外広場などを含む。【０００９】
この発明によれば、レイアウト記憶手段に記憶されたレイアウトをマッピング出力手段からプロジェクタに送信すると、プロジェクタによってレイアウトがオープンスペースの床面に投影される。【００１０】
請求項２に記載の発明は、請求項１に記載の什器配置支援システムにおいて、前記什器の寸法を含む什器情報と前記オープンスペースの寸法を含むオープンスペース情報とに基づいて、前記レイアウトを作成するレイアウト作成手段を備える、ことを特徴とする。【００１１】
請求項３に記載の発明は、請求項２に記載の什器配置支援システムにおいて、前記レイアウト作成手段は、前記オープンスペースの使用目的に基づいて前記レイアウトを作成する、ことを特徴とする。【００１２】
請求項４に記載の発明は、請求項１〜３に記載の什器配置支援システムにおいて、前記レイアウト記憶手段に記憶されたレイアウトを修正するレイアウト修正手段を備える、ことを特徴とする。
請求項５に記載の発明は、請求項１〜４に記載の什器配置支援システムにおいて、前記オープンスペースが会議室である場合に、前記会議室の使用日時を予約する会議室予約手段を備える、ことを特徴とする。【００１３】
請求項６に記載の発明は、コンピュータを、椅子を含む什器をオープンスペースに配置する際のレイアウトを記憶するレイアウト記憶手段と、前記レイアウト記憶手段に記憶されたレイアウトを、該レイアウトを前記オープンスペースの床面に投影するプロジェクタに送信するマッピング出力手段、として機能させるための什器配置支援プログラムである。【００１４】
請求項７に記載の発明は、請求項６に記載の什器配置支援プログラムであって、コンピュータを、前記什器の寸法を含む什器情報と前記オープンスペースの寸法を含むオープンスペース情報とに基づいて、前記レイアウトを作成するレイアウト作成手段、として機能させる。【００１５】
請求項８に記載の発明は、請求項７に記載の什器配置支援プログラムであって、前記レイアウト作成手段は、前記オープンスペースの使用目的に基づいて前記レイアウトを作成する、ことを特徴とする。【００１６】
請求項９に記載の発明は、請求項６〜８に記載の什器配置支援プログラムであって、コンピュータを、前記レイアウト記憶手段に記憶されたレイアウトを修正するレイアウト修正手段、として機能させる。【００１７】
請求項１０に記載の発明は、請求項６〜９に記載の什器配置支援プログラムであって、前記オープンスペースが会議室である場合に、コンピュータを、前記会議室の使用日時を予約する会議室予約手段、として機能させる。
【発明の効果】
【００１８】
請求項１、６の発明によれば、レイアウト記憶手段に記憶されたレイアウトがプロジェクタによってオープンスペースの床面に投影されるため、床面に投影されたレイアウトに従って（レイアウトの上に）椅子などの什器を配置することで、椅子などの什器を適正な位置に容易に配置することが可能となる。しかも、プロジェクタでレイアウトをオープンスペースの床面に投影するだけであり、既存・既製の什器やオープンスペースなどを改造したりすることなくそのまま使用することができるため、容易に適用することができる。【００１９】
請求項２、７の発明によれば、什器情報とオープンスペース情報とに基づいてレイアウト作成手段によってレイアウトが作成されるため、初めてオープンスペースを使用する場合などにおいても、什器を適正な位置に配置することが可能となる。しかも、自動でレイアウトが作成されるため、経験者などがいなくても容易かつ迅速にレイアウトを決定することが可能となる。また、什器情報に什器の寸法が含まれ、オープンスペース情報にオープンスペースの寸法が含まれているため、収容される什器と収容するオープンスペースの大きさ、形状に基づいた、適正なレイアウトを作成することが可能となる。【００２０】
請求項３、８の発明によれば、オープンスペースの使用目的に基づいてレイアウトが作成されるため、会議かセミナーか、あるいはグループ討論かなどの使用目的に適したレイアウトを作成することが可能となる。【００２１】
請求項４、９の発明によれば、レイアウト記憶手段に記憶されたレイアウトを修正するレイアウト修正手段を備えるため、レイアウト記憶手段に記憶されたレイアウトを利用して新たなレイアウトを容易かつ迅速に作成することが可能となる。また、レイアウト作成手段で自動作成されたレイアウトをレイアウト修正手段で修正することで、所望のレイアウトを容易かつ柔軟に作成することが可能となる。【００２２】
請求項５、１０の発明によれば、オープンスペースが会議室である場合に、会議室の使用日時を予約する会議室予約手段を備えるため、会議室の予約と什器の配置を同じシステムで行うことができ、利便性が高まる。例えば、会議室を予約した後にすぐに什器の配置を行うことができる。また、予約可能な会議室に対してレイアウト作成手段でレイアウトを作成して、什器を適正に配置できるか否かを確認し、必要に応じて会議室の変更やレイアウトの変更などを行うことで、より適正な会議室の予約や什器の配置などを行うことが可能となる。
【図面の簡単な説明】
【００２３】
【図１】この発明の実施の形態に係る什器配置支援システムを示す概略構成図である。
【図２】図１の什器配置支援システムの支援コンピュータを示す概略構成ブロック図である。
【図３】図２の支援コンピュータのレイアウトデータベースのデータ構成図である。
【図４】図２の支援コンピュータの設備データベースのデータ構成図である。
【図５】図２の支援コンピュータの予約データベースのデータ構成図である。
【図６】図２の支援コンピュータのレイアウト作成部で作成されたレイアウト例を示す図である。
【図７】図２の支援コンピュータのレイアウト作成部のフローチャートである。
【図８】図１の什器配置支援システムをオフィスの引っ越しに適用した場合のレイアウト例を示す図である。
【発明を実施するための形態】
【００２４】
以下、この発明を図示の実施の形態に基づいて説明する。
【００２５】
図１〜図７は、この発明の実施の形態を示し、図１は、この実施の形態に係る什器配置支援システム１を示す概略構成図である。この什器配置支援システム１は、什器をオープンスペースに配置するのを支援するためのシステムであり、主として、プロジェクタ２と、支援コンピュータ３と、ユーザ端末４と、を備え、プロジェクタ２と支援コンピュータ３は、ケーブルや無線などを介して通信自在に接続され、支援コンピュータ３とユーザ端末４は、通信網ＮＷを介して通信自在に接続されている。
【００２６】
ここで、オープンスペースには、会議室Ｒ１や会場、オフィスフロア、野外広場などが含まれ、什器には、椅子Ｃや机Ｄ、事務機器などが含まれるが、この実施の形態では、オープンスペースが会議室Ｒ１で什器が椅子Ｃと机Ｄの場合について、主として説明する。
【００２７】
プロジェクタ２は、画像を投影する投影機であり、この実施の形態では、主として、支援コンピュータ３から受信するレイアウトを画像として会議室Ｒ１の床面に投影（プロジェクションマッピング・レーザーマッピング）する。従って、後述するように、プロジェクタ２は、レイアウトを会議室Ｒ１の床面に投影するように配設され、かつ、必要に応じて複数配設される。
【００２８】
支援コンピュータ３は、プロジェクタ２を制御したりレイアウトを作成、修正したりするコンピュータであり、図２に示すように、主として、入力部３１と、表示部３２と、マッピング出力部（マッピング出力手段）３３と、レイアウトデータベース（レイアウト記憶手段）３４と、設備データベース３５と、予約データベース３６と、設備情報作成部３７と、レイアウト作成部（レイアウト作成手段、レイアウト修正手段）３８と、マッピング起動部３９と、会議室予約部（会議室予約手段）３ａと、これらを制御などする中央処理部３ｂを備える。
【００２９】
入力部３１は、各種情報や指令などを入力するインターフェイスであり、キーパッドやマウスなどから構成されている。表示部３２は、各種情報や画像などを表示するディスプレイである。マッピング出力部３３は、投影対象の画像つまりレイアウトデータベース３４に記憶されたレイアウトをプロジェクタ２に送信するインターフェイスであり、複数のプロジェクタ２に送信可能で、後述するマッピング起動部３９からの指令に従って制御される。
【００３０】
レイアウトデータベース３４は、椅子Ｃを含む什器をオープンスペースに配置する際のレイアウトを記憶するデータベースであり、図３に示すように、レイアウトＩＤ３４１と、会議室３４２と、用途３４３と、人数３４４と、設備３４５と、日時３４６と、レイアウト図３４７と、が記憶されている。ここで、このレイアウトデータベース３４に記憶されているデータは、過去にレイアウトを使用した際の情報と、今後レイアウトを使用する情報（レイアウト作成部３８で作成された情報）の双方を含む。
【００３１】
レイアウトＩＤ３４１には、レイアウトを識別する識別情報が記憶され、会議室３４２には、使用される会議室Ｒ１の識別情報（会議室名）が記憶されている。用途３４３には、該会議室Ｒ１の使用目的、使用形式が記憶され、具体的には、会議形式かセミナー形式か、あるいはグループ討論形式かなどが記憶されている。人数３４４には、該会議室Ｒ１の使用人数、参加人数が記憶され、設備３４５には、使用される椅子Ｃや机Ｄの識別情報が記憶され、日時３４６には、このレイアウトの使用日時が記憶されている。レイアウト図３４７には、このレイアウトの図つまり什器の外形を含む配置図が記憶され、この図は、プロジェクタ２で投影が可能なファイルとなっている。
【００３２】
設備データベース３５は、会議室Ｒ１や各種什器などの設備に関する情報を記憶するデータベースであり、図４に示すように、最上層の設備種類階層３５１と、中層の型式層３５２と、最下層の情報層３５３と、から構成されている。設備種類階層３５１は、設備の種類を示す階層であり、会議室Ｒ１や椅子Ｃ、机Ｄなどが記憶されている。型式層３５２は、各設備で有する型式・識別情報を示す階層であり、会議室Ｒ１であれば第１会議室や第２会議室などの会議室名が記憶され、椅子Ｃであれば第１椅子や第２椅子などの型式名が記憶され記憶されている。
【００３３】
情報層３５３は、各型式の仕様情報を示す階層であり、会議室Ｒ１であれば、その寸法を含む見取図（平面図）や収容人数などが記憶され、椅子Ｃであれば、その寸法、材質、画像などが記憶されている。このような設備データベース３５の情報には、初期値として予め入力、記録された情報のみならず、設備情報作成部３７で登録された情報も含む。
【００３４】
予約データベース３６は、各会議室Ｒ１の使用予約状況を記憶するデータベースであり、図５に示すように、各予約日に対して、会議室Ｒ１ごとに、いつからいつまで使用予約が入っているか（図中の矢印）が記憶され、さらに、備考欄には、誰がどの部署が予約したかなどが記憶される。このような情報は、後述するように、会議室予約部３ａによって登録される。
【００３５】
設備情報作成部３７は、設備データベース３５に新たな情報を登録、記憶したり、設備データベース３５に記憶されている情報を修正したりするプログラム・タスクである。まず、設備データベース３５の階層データを表示部３２に表示し、新たな設備に関する情報を登録する場合には、入力部３１で指定、入力された所望の階層に新たな情報を追加、記憶する。例えば、新たな第３椅子に関する情報を登録する場合、設備種類階層３５１で椅子Ｃが指定され、型式層３５２で第３椅子を追加する指示が入力され、情報層３５３で第３椅子に関する情報が入力されると、これらの情報を設備データベース３５に追加、記憶する。
【００３６】
同様に、設備データベース３５の情報を修正する場合、入力部３１で指定、入力された所望の階層の情報を修正、記憶する。例えば、第１会議室に関する情報を修正する場合、設備種類階層３５１で会議室Ｒ１が指定され、型式層３５２で第１会議室が指定されて、情報層３５３の情報が修正入力されると、これらの情報を設備データベース３５に修正、記憶する。
【００３７】
レイアウト作成部３８は、什器の寸法を含む什器情報とオープンスペースの寸法を含むオープンスペース情報などに基づいて、什器のレイアウトを作成するプログラム・タスクである。すなわち、設備データベース３５の情報層３５３には、椅子Ｃや机Ｄなどの什器の寸法を含む情報や、会議室Ｒ１の寸法を含む情報が記憶されており、これらの設備データベース３５の情報に基づいて、入力部３１で指定、入力された会議室Ｒ１の使用目的などの配置条件に適合するレイアウトを作成する。また、このレイアウト作成部３８は、レイアウトデータベース３４に記憶されたレイアウトを修正する機能も備える。
【００３８】
具体的には、起動して新規作成が選択されると、図７に示すように、まず、使用日時と使用する会議室Ｒ１を入力、選択する画面を表示部３２に表示する。この際、設備データベース３５に記憶された各会議室Ｒ１（各型式層３５２）の仕様情報（情報層３５３）を表示し、入力部３１で会議室Ｒ１が指定、選択されると、この会議室名をバッファに記憶する（ステップＳ１）。次に、会議室Ｒ１の用途パターン・使用形式（使用目的）を選択する画面を表示部３２に表示する。この際、使用形式の候補である、会議形式、セミナー形式、グループ討論形式などを表示し、入力部３１で使用形式が指定、選択されると、この使用形式をバッファに記憶する（ステップＳ２）。
【００３９】
続いて、会議室Ｒ１の使用人数、参加人数を入力する画面を表示部３２に表示し、入力部３１で人数が入力されると、この人数をバッファに記憶する（ステップＳ３）。さらに、使用する椅子Ｃや机Ｄなどの什器を選択する画面を表示部３２に表示する。この際、設備データベース３５に記憶された各什器（各型式層３５２）の仕様情報（情報層３５３）を表示し、入力部３１で什器が指定、選択されると、この什器の型式・識別情報をバッファに記憶する（ステップＳ４）。
【００４０】
そして、これらの配置条件と設備データベース３５の情報に基づいて、レイアウトを作成する（ステップＳ５）。すなわち、選択された会議室Ｒ１に、入力された人数分の椅子Ｃや机Ｄなどを配置でき、かつ、選択された使用形式に適合するようなレイアウトを作成する。この際、最低必要な通路や、壁からの距離、椅子Ｃの前後左右の間隔、登壇者・司会者のスペースなどが確保されるように、椅子Ｃや机Ｄなどの配置を設定する。
【００４１】
また、使用形式ごとに予め椅子Ｃや机Ｄなどの基本的な配置形式が決まっており、この配置形式に従ってレイアウトを作成する。例えば、セミナー形式・講演形式の場合には、図１に示すように、会議室Ｒ１の前方に登壇者用の机Ｄ１を配置し、登壇者用の机Ｄ１側に向いて椅子Ｃを縦横均等に配置するのを基本的な配置形式とする。同様に、グループ討論形式の場合には、図６に示すように、会議室Ｒ１の前方に登壇者用の机Ｄ１を配置し、参加者用の机Ｄ２を所定数（参加人数÷（１つの机Ｄ２に対する使用人数））均等に配置して、各参加者用の机Ｄ２に所定数（１つの机Ｄ２に対する使用人数）の椅子Ｃを配置するのを基本的な配置形式とする。
【００４２】
次に、このようにして作成したレイアウトを表示部３２に表示するとともに、このレイアウトを修正・変更するか否かを問う選択肢を表示部３２に表示する。そして、修正しないことが選択されると（ステップＳ６で「Ｎ」の場合）、レイアウト等をレイアウトデータベース３４に記憶する（ステップＳ８）。すなわち、新たなレイアウトＩＤ３４１を作成し、会議室３４２にステップＳ１で選択された会議室名を記憶し、用途３４３にステップＳ２で選択された使用形式を記憶し、人数３４４にステップＳ３で入力された人数を記憶し、設備３４５にステップＳ４で選択された什器を記憶し、日時３４６にステップＳ１で入力された使用日時を記憶し、レイアウト図３４７にステップＳ５で作成されたレイアウトを記憶する。
【００４３】
一方、修正することが選択されると（ステップＳ６で「Ｙ」の場合）、椅子Ｃや机Ｄなどを移動したり、加減したりするのを可能にする（ステップＳ７）。すなわち、入力部３１で椅子Ｃや机Ｄなどの什器を移動させたり、所望の位置に什器を足したり、所望の什器を削除したりできるようになっている。さらに、配置条件を選択、入力するモード（ステップＳ１〜Ｓ４）に戻って、配置条件を変更できるようになっている。そして、入力部３１で終了操作を行うと、レイアウト等をレイアウトデータベース３４に記憶する（ステップＳ８）。
【００４４】
さらに、レイアウト作成部３８の起動時においてレイアウト修正が選択されると、レイアウトデータベース３４に記憶されたレイアウトのリスト（情報３４１〜３４７の一部または縮小版など）と、レイアウトを選択する画面を表示部３２に表示する。そして、レイアウトが選択されると、このレイアウトを表示部３２に表示し、上記のステップＳ７に移動して、椅子Ｃや机Ｄなどを移動したり、加減したりするのを可能にする。ここで、後述するマッピング起動部３９と同様に、検索条件に従って所望のレイアウトをレイアウトデータベース３４から取得して表示部３２に表示できるようにしてもよい。
【００４５】
マッピング起動部３９は、マッピング出力部３３を介して所望のレイアウトをプロジェクタ２から投影するためのプログラム・タスクである。まず、レイアウトデータベース３４に記憶されたレイアウトのリスト（情報３４１〜３４７の一部または縮小版など）と、レイアウトを選択する画面を表示部３２に表示する。そして、レイアウトが選択されると、このレイアウトを表示部３２に表示する。
【００４６】
この際、レイアウトを選択、検索する検索条件を入力可能にし、この検索条件に従って所望のレイアウトをレイアウトデータベース３４から取得、表示できるようになっている。すなわち、レイアウトデータベース３４の情報３４１〜３４７を検索条件とし、例えば、会議室名が検索条件に入力されると、この会議室名と同じ会議室３４２のレイアウト図３４７を取得、表示したり、会議室Ｒ１の使用形式と参加人数とが検索条件に入力されると、この使用形式と参加人数と同じあるいは近似の用途３４３と人数３４４のレイアウト図３４７を取得、表示したりする。ここで、複数のレイアウト図３４７を取得、表示する場合があり、この場合、入力部３１からの選択に従って、選択されたレイアウトを表示部３２に表示する。
【００４７】
次に、入力部３１からプロジェクタ表示指令が入力されると、プロジェクタ２を配置すべき位置をレイアウト上（会議室Ｒ１を示す画面上）に表示する。ここで、各会議室Ｒ１に対して、何台のプロジェクタ２をどこにどの向きに配置すれば、会議室Ｒ１の床面にレイアウトを適正に投影できるか（全床面を投影できるか）が、予め検討・検証されて記憶されており、この記憶された位置をレイアウト上に表示する。ここで、後述するように、プロジェクタ２の位置を変更可能にしてもよい。
【００４８】
続いて、入力部３１からプロジェクタ起動指令が入力されると、マッピング出力部３３に対して送信指令を送る。これにより、選択、表示されたレイアウトがマッピング出力部３３からプロジェクタ２に送信されて、会議室Ｒ１の床面にレイアウトが投影される。ここで、複数のプロジェクタ２が配置されている場合には、各プロジェクタ２で投影すべき画像（レイアウト）がマッピング出力部３３から各プロジェクタ２に送信される。
【００４９】
会議室予約部３ａは、オープンスペースが会議室Ｒ１である場合に、会議室Ｒ１の使用日時を予約するプログラム・タスクである。まず、予約データベース３６に記憶された、各会議室Ｒ１の使用予約状況を表示部３２に表示する。そして、入力部３１によって特定日の特定の会議室Ｒ１に対して、いつからいつまで使用予約を入れるかが入力されると、この使用予約を予約データベース３６に記憶する。
【００５０】
ユーザ端末４は、ユーザＭが使用する通信端末であり、スマートフォン（多機能携帯端末）などで構成され、支援コンピュータ３にアクセスして、設備情報作成部３７やレイアウト作成部３８、会議室予約部３ａなどを起動できるようになっている。すなわち、直接支援コンピュータ３からのみではなく、複数のユーザＭが個々のユーザ端末４から、レイアウトを作成したり会議室Ｒ１を予約したりできるようになっている。
【００５１】
次に、このような構成の什器配置支援システム１の動作、使用方法などについて説明する。
【００５２】
まず、設備データベース３５に新たな情報を登録、記憶したり、設備データベース３５に記憶されている情報を修正したりする場合には、設備情報作成部３７を起動させ、上記のようにして、入力部３１で新たな会議室Ｒ１や什器に関する情報を追加したり、既存の会議室Ｒ１や什器に関する情報を修正したりする。また、会議室Ｒ１を予約したい場合には、会議室予約部３ａを起動させ、上記のようにして、入力部３１で使用したい会議室Ｒ１や使用日時を入力する。この際、レイアウト作成部３８でレイアウトを作成して、什器を適正に配置できるか否かを確認して、適正な会議室Ｒ１を予約してもよい。
【００５３】
次に、会議室Ｒ１を使用するに先立って、椅子Ｃや机Ｄなどの什器を会議室Ｒ１に配置する。すなわち、レイアウト作成部３８を起動させ、上記のようにして、入力部３１で配置条件を入力して新たなレイアウトを作成したり、レイアウトデータベース３４に記憶されたレイアウトを修正したりして、レイアウトデータベース３４に登録する。続いて、マッピング起動部３９を起動させ、上記のようにして、入力部３１でレイアウトデータベース３４から所望のレイアウトを読み出し、このレイアウトをマッピング出力部３３からプロジェクタ２に送信する。これにより、会議室Ｒ１の床面にレイアウトが投影され、このレイアウトに従って（レイアウトの上に）椅子Ｃなどの什器を配置するものである。
【００５４】
このような什器配置支援システム１によれば、レイアウトデータベース３４に記憶されたレイアウトがプロジェクタ２によってオープンスペースの床面に投影されるため、床面に投影されたレイアウトに従って椅子Ｃなどの什器を配置することで、椅子Ｃなどの什器を適正な位置に容易に配置することが可能となる。しかも、プロジェクタ２でレイアウトをオープンスペースの床面に投影するだけであり、既存・既製の什器やオープンスペースなどを改造したりすることなくそのまま使用することができるため、容易に適用することができる。
【００５５】
また、設備データベース３５の情報（什器情報とオープンスペース情報）に基づいてレイアウト作成部３８によってレイアウトが作成されるため、初めてオープンスペースを使用する場合などにおいても、什器を適正な位置に配置することが可能となる。しかも、自動でレイアウトが作成されるため、経験者などがいなくても容易かつ迅速にレイアウトを決定することが可能となる。また、設備データベース３５の情報に什器の寸法やオープンスペースの寸法などが含まれているため、収容される什器と収容するオープンスペースの大きさ、形状に基づいた、適正なレイアウトを作成することが可能となる。
【００５６】
しかも、オープンスペースの使用目的に基づいてレイアウトが作成されるため、会議かセミナーか、あるいはグループ討論かなどの使用目的に適したレイアウトを作成することが可能となる。
【００５７】
さらに、レイアウトデータベース３４に記憶されたレイアウトをレイアウト作成部３８で修正可能なため、レイアウトデータベース３４に記憶されたレイアウトを利用して新たなレイアウトを容易かつ迅速に作成することが可能となる。また、レイアウト作成部３８で自動作成されたレイアウトを修正することで、所望のレイアウトを容易かつ柔軟に作成することが可能となる。
【００５８】
また、オープンスペースが会議室Ｒ１である場合に、会議室Ｒ１の使用日時を予約する会議室予約部３ａを備えるため、会議室Ｒ１の予約と什器の配置を同じシステムで行うことができ、利便性が高まる。例えば、会議室Ｒ１を予約した後にすぐに什器の配置を行うことができる。また、予約可能な会議室Ｒ１に対してレイアウト作成部３８でレイアウトを作成して、什器を適正に配置できるか否かを確認し、必要に応じて会議室Ｒ１の変更やレイアウトの変更などを行うことで、より適正な会議室Ｒ１の予約や什器の配置などを行うことが可能となる。
【００５９】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、１つの支援コンピュータ３にすべてのデータベース３４〜３６とプログラム３７〜３ａを備えているが、複数のコンピュータで支援コンピュータ３を構成するようにしてもよい。また、マッピング起動部３９で表示部３２に表示されるプロジェクタ２の位置を変更可能にしてもよい。この際、各プロジェクタ２で床面に投影される領域を表示することで、プロジェクタ２の配置、向きが適正か否かを確認できるようにする。
【００６０】
一方、オープンスペースが会議室Ｒ１の場合について説明したが、オープンスペースがオフィスの執務フロアＲ２の場合や、野外広場でのイベント会場やコンサート会場などの場合にも適用することができる。例えば、図８に示すように、オフィスの執務フロアＲ２の引っ越しにおいて什器を配置する際に、執務フロアＲ２の床面にレイアウトを投影する。この際、椅子Ｃや机Ｄなどの什器の外形、配置とともに、各什器の使用者の識別情報（図中の丸数字）を投影する。これにより、引っ越しの際に持ち込まれる各使用者の荷物をその使用者の什器の近くに置くことができる。ここで、このような引っ越しの場合、レイアウト作成部３８のステップＳ２で入力される用途パターン（使用目的）は、例えば、オフィス引っ越しとなる。同様に、野外広場でのイベント会場の場合、用途パターンは、例えば、屋外イベントとなる。
【００６１】
ところで、次のような什器配置支援プログラムを汎用のコンピュータにインストールすることで、支援コンピュータ３および什器配置支援システム１を構成してもよい。
【００６２】
すなわち、コンピュータを、
椅子Ｃを含む什器をオープンスペースに配置する際のレイアウトを記憶するレイアウト記憶手段（レイアウトデータベース３４）と、
レイアウト記憶手段に記憶されたレイアウトを、該レイアウトをオープンスペースの床面に投影するプロジェクタ２に送信するマッピング出力手段（マッピング出力部３３）と、
什器の寸法を含む什器情報と、オープンスペースの寸法を含むオープンスペース情報と、オープンスペースの使用目的とに基づいて、レイアウトを作成するレイアウト作成手段（レイアウト作成部３８）と、
レイアウト記憶手段に記憶されたレイアウトを修正するレイアウト修正手段（レイアウト作成部３８）と、
オープンスペースが会議室Ｒ１である場合に、会議室Ｒ１の使用日時を予約する会議室予約手段（会議室予約部３ａ）、
として機能させるための什器配置支援プログラム。
【符号の説明】
【００６３】
１        什器配置支援システム
２        プロジェクタ
３        支援コンピュータ
３１      入力部
３２      表示部
３３      マッピング出力部（マッピング出力手段）
３４      レイアウトデータベース（レイアウト記憶手段）
３５      設備データベース
３６      予約データベース
３７      設備情報作成部
３８      レイアウト作成部（レイアウト作成手段、レイアウト修正手段）
３９      マッピング起動部
３ａ      会議室予約部（会議室予約手段）
４        ユーザ端末
Ｒ１      会議室（オープンスペース）
Ｒ２      執務フロア（オープンスペース）
Ｃ        椅子（什器）
Ｄ        机（什器）
【図１】
2019163015.tif 000003
【図２】
2019163015.tif 000004
【図３】
2019163015.tif 000005
【図４】
2019163015.tif 000006
【図５】
2019163015.tif 000007
【図６】
2019163015.tif 000008
【図７】
2019163015.tif 000009
【図８】
2019163015.tif 000010
【手続補正書】
【提出日】平成30年7月3日(2018.7.3)
【手続補正１】
【補正対象書類名】特許請求の範囲
【補正対象項目名】全文
【補正方法】変更
【補正の内容】
【特許請求の範囲】
【請求項１】
画像を投影するプロジェクタと、
椅子を含む什器をオープンスペースに配置する際のレイアウトを記憶するレイアウト記憶手段と、
前記レイアウト記憶手段に記憶されたレイアウトを前記プロジェクタに送信するマッピング出力手段と、
各オープンスペースの寸法と各種什器の寸法を記憶する設備データベースと、
使用するオープンスペースとその使用目的と使用する什器とが指定されると、指定された当該オープンスペースの寸法と当該使用目的と当該什器の寸法とに基づいて、レイアウトを作成して前記レイアウト記憶手段に記憶するレイアウト作成手段と、
を備え、前記プロジェクタは、前記マッピング出力手段から受信したレイアウトを前記画像として前記オープンスペースの床面に投影するように配設されている、
ことを特徴とする什器配置支援システム。
【請求項２】
前記レイアウト記憶手段に記憶されたレイアウトを修正するレイアウト修正手段を備える、
ことを特徴とする請求項１に記載の什器配置支援システム。
【請求項３】
前記オープンスペースが会議室である場合に、前記会議室の使用日時を予約する会議室予約手段を備える、
ことを特徴とする請求項１または２のいずれか１項に記載の什器配置支援システム。
【請求項４】
コンピュータを、
椅子を含む什器をオープンスペースに配置する際のレイアウトを記憶するレイアウト記憶手段と、
前記レイアウト記憶手段に記憶されたレイアウトを、該レイアウトを前記オープンスペースの床面に投影するプロジェクタに送信するマッピング出力手段と、
各オープンスペースの寸法と各種什器の寸法を記憶する設備データベースと、
使用するオープンスペースとその使用目的と使用する什器とが指定されると、指定された当該オープンスペースの寸法と当該使用目的と当該什器の寸法とに基づいて、レイアウトを作成して前記レイアウト記憶手段に記憶するレイアウト作成手段、
として機能させるための什器配置支援プログラム。
【請求項５】
コンピュータを、
前記レイアウト記憶手段に記憶されたレイアウトを修正するレイアウト修正手段、
として機能させるための請求項４に記載の什器配置支援プログラム。
【請求項６】
前記オープンスペースが会議室である場合に、コンピュータを、
前記会議室の使用日時を予約する会議室予約手段、
として機能させるための請求項４または５のいずれか１項に記載の什器配置支援プログラム。
【手続補正２】
【補正対象書類名】明細書
【補正対象項目名】０００８
【補正方法】変更
【補正の内容】
【０００８】
上記課題を解決するために、請求項１に記載の発明は、画像を投影するプロジェクタと、椅子を含む什器をオープンスペースに配置する際のレイアウトを記憶するレイアウト記憶手段と、前記レイアウト記憶手段に記憶されたレイアウトを前記プロジェクタに送信するマッピング出力手段と、各オープンスペースの寸法と各種什器の寸法を記憶する設備データベースと、使用するオープンスペースとその使用目的と使用する什器とが指定されると、指定された当該オープンスペースの寸法と当該使用目的と当該什器の寸法とに基づいて、レイアウトを作成して前記レイアウト記憶手段に記憶するレイアウト作成手段と、を備え、前記プロジェクタは、前記マッピング出力手段から受信したレイアウトを前記画像として前記オープンスペースの床面に投影するように配設されている、ことを特徴とする什器配置支援システムである。ここで、オープンスペースには、会議室や会場、オフィスフロア、野外広場などを含む。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
請求項２に記載の発明は、請求項１に記載の什器配置支援システムにおいて、前記レイアウト記憶手段に記憶されたレイアウトを修正するレイアウト修正手段を備える、ことを特徴とする。
請求項３に記載の発明は、請求項１または２に記載の什器配置支援システムにおいて、前記オープンスペースが会議室である場合に、前記会議室の使用日時を予約する会議室予約手段を備える、ことを特徴とする。
【手続補正６】
【補正対象書類名】明細書
【補正対象項目名】００１３
【補正方法】変更
【補正の内容】
【００１３】
請求項４に記載の発明は、コンピュータを、椅子を含む什器をオープンスペースに配置する際のレイアウトを記憶するレイアウト記憶手段と、前記レイアウト記憶手段に記憶されたレイアウトを、該レイアウトを前記オープンスペースの床面に投影するプロジェクタに送信するマッピング出力手段と、各オープンスペースの寸法と各種什器の寸法を記憶する設備データベースと、使用するオープンスペースとその使用目的と使用する什器とが指定されると、指定された当該オープンスペースの寸法と当該使用目的と当該什器の寸法とに基づいて、レイアウトを作成して前記レイアウト記憶手段に記憶するレイアウト作成手段、として機能させるための什器配置支援プログラムである。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】変更
【補正の内容】
【００１６】
請求項５に記載の発明は、請求項４に記載の什器配置支援プログラムであって、コンピュータを、前記レイアウト記憶手段に記憶されたレイアウトを修正するレイアウト修正手段、として機能させる。
【手続補正１０】
【補正対象書類名】明細書
【補正対象項目名】００１７
【補正方法】変更
【補正の内容】
【００１７】
請求項６に記載の発明は、請求項４または５に記載の什器配置支援プログラムであって、前記オープンスペースが会議室である場合に、コンピュータを、前記会議室の使用日時を予約する会議室予約手段、として機能させる。
【手続補正１１】
【補正対象書類名】明細書
【補正対象項目名】００１８
【補正方法】変更
【補正の内容】
【００１８】
請求項１、４の発明によれば、レイアウト記憶手段に記憶されたレイアウトがプロジェクタによってオープンスペースの床面に投影されるため、床面に投影されたレイアウトに従って（レイアウトの上に）椅子などの什器を配置することで、椅子などの什器を適正な位置に容易に配置することが可能となる。しかも、プロジェクタでレイアウトをオープンスペースの床面に投影するだけであり、既存・既製の什器やオープンスペースなどを改造したりすることなくそのまま使用することができるため、容易に適用することができる。
【手続補正１２】
【補正対象書類名】明細書
【補正対象項目名】００１９
【補正方法】変更
【補正の内容】
【００１９】
また、什器情報とオープンスペース情報とに基づいてレイアウト作成手段によってレイアウトが作成されるため、初めてオープンスペースを使用する場合などにおいても、什器を適正な位置に配置することが可能となる。しかも、自動でレイアウトが作成されるため、経験者などがいなくても容易かつ迅速にレイアウトを決定することが可能となる。また、什器情報に什器の寸法が含まれ、オープンスペース情報にオープンスペースの寸法が含まれているため、収容される什器と収容するオープンスペースの大きさ、形状に基づいた、適正なレイアウトを作成することが可能となる。
【手続補正１３】
【補正対象書類名】明細書
【補正対象項目名】００２０
【補正方法】変更
【補正の内容】
【００２０】
さらに、オープンスペースの使用目的に基づいてレイアウトが作成されるため、会議かセミナーか、あるいはグループ討論かなどの使用目的に適したレイアウトを作成することが可能となる。
【手続補正１４】
【補正対象書類名】明細書
【補正対象項目名】００２１
【補正方法】変更
【補正の内容】
【００２１】
請求項２、５の発明によれば、レイアウト記憶手段に記憶されたレイアウトを修正するレイアウト修正手段を備えるため、レイアウト記憶手段に記憶されたレイアウトを利用して新たなレイアウトを容易かつ迅速に作成することが可能となる。また、レイアウト作成手段で自動作成されたレイアウトをレイアウト修正手段で修正することで、所望のレイアウトを容易かつ柔軟に作成することが可能となる。
【手続補正１５】
【補正対象書類名】明細書
【補正対象項目名】００２２
【補正方法】変更
【補正の内容】
【００２２】
請求項３、６の発明によれば、オープンスペースが会議室である場合に、会議室の使用日時を予約する会議室予約手段を備えるため、会議室の予約と什器の配置を同じシステムで行うことができ、利便性が高まる。例えば、会議室を予約した後にすぐに什器の配置を行うことができる。また、予約可能な会議室に対してレイアウト作成手段でレイアウトを作成して、什器を適正に配置できるか否かを確認し、必要に応じて会議室の変更やレイアウトの変更などを行うことで、より適正な会議室の予約や什器の配置などを行うことが可能となる。
【国際調査報告】
2019163015.tif 000011
2019163015.tif 000012